(57)【特許請求の範囲】
【請求項１】
データを記録するためのディスク状の記録媒体からなる第１層と、
該第１層に積層して設けられ、データを記録するためのディスク状の記録媒体からなる第２層と、
該第１層に記録された複数のデータブロックと、
該第２層に記録された複数のデータブロックとからなり、該第１層のデータブロックと該第２層のデータブロックは交互にリンクされ１本の情報ストリームを構成することを特徴とする２層光ディスク。
【請求項２】
請求項１に係る２層光ディスクであって、該第１層および第２層におけるデータブロックは異なった大きさを有することを特徴とする２層光ディスク。
【請求項３】
請求項１に係る２層光ディスクであって、該第１層および第２層におけるデータブロックは同じ大きさを有することを特徴とする２層光ディスク。
【請求項４】
請求項１に係る２層光ディスクであって、該データブロックは各層の中心から周辺に向かって順次並べられ、第１層にあるデータブロックは該情報ストリームにおいて奇数番目のものが並べられ、該第２層にあるデータブロックは該情報ストリームにおいて偶数番目のものが並べられることを特徴とする２層光ディスク。
【請求項５】
請求項１に係る２層光ディスクであって、該データブロックは各層の周辺から中心に向かって順次並べられ、第１層にあるデータブロックは該情報ストリームにおいて奇数番目のものが並べられ、該第２層にあるデータブロックは該情報ストリームにおいて偶数番目のものが並べられることを特徴とする２層光ディスク。
【請求項６】
請求項１に係る２層光ディスクであって、第１層に記録されたデータブロックは互いに隣接して並べられ、第２層に記録されたデータブロックも互いに隣接して並べられていることを特徴とする２層光ディスク。
【請求項７】
請求項１に係る２層光ディスクであって、第１層に記録されたデータブロックは互いに隣接して並べられる一方、第２層に記録されたデータブロックは離間して並べられていることを特徴とする２層光ディスク。
【請求項８】
請求項１に係る２層光ディスクであって、第２層中、データブロック以外のエリアにおいてダミーデータを加え、第２層におけるデータブロックの全長を第１層におけるデータブロックの全長と等しくするようにしたことを特徴とする２層光ディスク。
【請求項９】
請求項１に係る２層光ディスクであって、第１層中、データブロック以外のエリアにおいて第１ダミーデータを加えると共に、第２層中、データブロック以外のエリアにおいて第２ダミーデータを加え、第２層におけるデータブロックの全長を第１層におけるデータブロックの全長と等しくするようにしたことを特徴とする２層光ディスク。
【請求項１０】
データを記録するためのディスク状の記録媒体からなる第１層と、
該第１層に積層して設けられ、データを記録するためのディスク状の記録媒体からなる第２層と、
該第１層に記録され、割り込み位置を有するデータブロックと、
該第２層に記録された少なくとも一つの補助データブロックとからなり、該第１層にあるデータブロックが再生される際において該割り込み位置において割り込みが行われ、（ｉ）第２層にある補助データブロックの挿入、または（ii）挿入なしで続行のいずれかを選択可能に設けたことを特徴とする２層光ディスク。
【請求項１１】
２層光ディスクの記録再生方法であって、該２層光ディスクは、データを記録するためのディスク状の記録媒体からなる第１層と、
該第１層に積層して設けられ、データを記録するためのディスク状の記録媒体からなる第２層と、
該第１層に記録された複数のデータブロックと、
該第２層に記録された複数のデータブロックとからなり、該第１層のデータブロックと該第２層のデータブロックは交互にリンクされ１本の情報ストリームを構成するものであり、該方法は、
（ａ）該第１層から一つのブロックを読み出し、
（ｂ）該第２層から一つのブロックを読み出し、
（ｃ）該第１層から別のブロックを読み出し、
（ｄ）該第２層から別のブロックを読み出す
ステップを含むことを特徴とする２層光ディスクの記録再生方法。
【請求項１２】
請求項１１に係る２層光ディスクの記録再生方法であって、該第１層における一つのブロックと別のブロックは近接して配置され、該一つのブロックが第１層において内周側に配置されていることを特徴とする方法。
【請求項１３】
請求項１１に係る２層光ディスクの記録再生方法であって、該第２層における一つのブロックと別のブロックは近接して配置され、該一つのブロックが第２層において内周側に配置されていることを特徴とする方法。
【請求項１４】
請求項１１に係る２層光ディスクの記録再生方法であって、該第１層における一つのブロックと別のブロックは近接して配置され、該一つのブロックが第１層において外周側に配置されていることを特徴とする方法。
【請求項１５】
請求項１１に係る２層光ディスクの記録再生方法であって、該第２層における一つのブロックと別のブロックは近接して配置され、該一つのブロックが第２層において外周側に配置されていることを特徴とする方法。
【請求項１６】
２層光ディスクの記録再生方法であって、該２層光ディスクは、データを記録するためのディスク状の記録媒体からなる第１層と、
該第１層に積層して設けられ、データを記録するためのディスク状の記録媒体からなる第２層と、
該第１層に記録され、割り込み位置を有するデータブロックと、
該第２層に記録された少なくとも一つの補助データブロックとからなるものであり、該方法は、
（ａ）該第１層におけるデータブロックを割り込み位置まで読み出し、
（ｂ）（ｉ）第２層にある補助データブロックを割り込み位置に挿入する、または（ii）挿入なしで続行するのいずれかを選択し、
（ｃ）（ｉ）が選択されれば、該割り込み位置に第２層の補助データブロックを挿入し、その後第１層におけるデータブロックを割り込み位置から続行して読み出し、
（ｄ）（ii）が選択されれば、割り込みなしにデータブロックを続行して読み出すことを特徴とする２層光ディスクの記録再生方法。
【発明の詳細な説明】
【０００１】
【産業上の利用分野】
本発明は、情報を記録する記録層を２つ有し、一方の記録層の側から光を照射して、両方の記録層の情報を再生できる２層構成の光ディスク、および係る２層光ディスクの記録再生方法に関するものである。
【０００２】
【従来の技術】
近年、２つの記録層を持ち、一方の記録層の側から光を照射し、両方の記録層を記録再生できる２層構成の光ディスク（以下、２層光ディスクと呼ぶ。）が提案されている。（１９９５年４月２０日付、朝日新聞、毎日新聞、化学工業日報、または米国特許５,４２８,５９７）
２層光ディスクの構成例を図１１に示す。図１１において、１１０１は樹脂基材、１１０２は第１記録層、１１０３は樹脂接着層、１１０４は第２記録層、１１０５は樹脂基材である。第１、第２記録層には、情報ピット１１２６がスパイラル状あるいは同心円状に記録されている。情報ピット１１２６は凹凸のピットの場合や、アモルファスピットの場合などがある。第１記録層１１０２を半透明とし、樹脂１１０１の側から光を照射して、第１記録層１１０２に焦点を合わせば第１記録層の情報を読み取ることができ、第２記録層１１０４に焦点を合わせば第２記録層の情報を読み取ることができる。
【０００３】
２層光ディスクの使い方として、第１記録層と第２記録層を合わせて映画等の長時間の連続情報を記録する用途や、第１記録層には第１の情報を記録し、第２記録層には前記第１の情報が参照する複数の情報を記録する用途が考えられている。
【０００４】
【発明が解決しようとする課題】
しかしながら上記のような構成の２層光ディスクでは、以下のような問題点が存在した。
【０００５】
第１記録層と第２記録層に情報を記録する場合どのような順番で情報を記録すれば、情報の記録再生を中断させることなくスムースに行われるかが問題となる。例えば、第１記録層全面に記録した後、第２記録層全面に記録するとすれば、第１記録層から第２記録層へヘッドが移行する際、ヘッドは第１記録層から第２記録層へのフォーカスジャンプ時間と、第２記録層の始点を探すまでのシーク時間の合計時間移動することとなり、その合計時間情報の記録再生が中断することとなる。したがって、映像等をシームレスに再生することは困難となる。
【０００６】
本発明は上記問題点に鑑み、シームレス再生のために必要なメモリがより少なくて済む２層光ディスクを提供するものである。また本発明は新規な２層光ディスクの記録再生方法を提供するものである。
【０００７】
また本発明は上記問題点に鑑み、情報参照時の検索時間がより短縮される２層光ディスクを提供するものである。
【０００８】
また本発明は上記問題点に鑑み、どこでフォーカスジャンプしてもトラッキングがかかる２層光ディスクを提供するものである。
【０００９】
【課題を解決するための手段】
上記問題点を解決するために本発明の２層光ディスクは、データを記録するためのディスク状の記録媒体からなる第１層と、
該第１層に積層して設けられ、データを記録するためのディスク状の記録媒体からなる第２層と、
該第１層に記録された複数のデータブロックと、
該第２層に記録された複数のデータブロックとからなり、該第１層のデータブロックと該第２層のデータブロックは交互にリンクされ１本の情報ストリームを構成することを特徴とするものである。
【００１０】
また本発明の２層光ディスクは、データを記録するためのディスク状の記録媒体からなる第１層と、
該第１層に積層して設けられ、データを記録するためのディスク状の記録媒体からなる第２層と、
該第１層に記録され、割り込み位置を有するデータブロックと、
該第２層に記録された少なくとも一つの補助データブロックとからなり、該第１層にあるデータブロックが再生される際において該割り込み位置において割り込みが行われ、（ｉ）第２層にある補助データブロックの挿入、または（ii）挿入なしで続行のいずれかを選択可能に設けたことを特徴とするものである。
【００１１】
また本発明の２層光ディスクの記録再生方法は、次のとおりである。
【００１２】
２層光ディスクの記録再生方法であって、該２層光ディスクは、データを記録するためのディスク状の記録媒体からなる第１層と、
該第１層に積層して設けられ、データを記録するためのディスク状の記録媒体からなる第２層と、
該第１層に記録された複数のデータブロックと、
該第２層に記録された複数のデータブロックとからなり、該第１層のデータブロックと該第２層のデータブロックは交互にリンクされ１本の情報ストリームを構成するものであり、該方法は、
（ａ）該第１層から一つのブロックを読み出し、
（ｂ）該第２層から一つのブロックを読み出し、
（ｃ）該第１層から別のブロックを読み出し、
（ｄ）該第２層から別のブロックを読み出す
ステップを含むことを特徴とする方法である。
【００１３】
更に本発明の記録再生方法は次のとおりである。
【００１４】
２層光ディスクの記録再生方法であって、該２層光ディスクは、データを記録するためのディスク状の記録媒体からなる第１層と、
該第１層に積層して設けられ、データを記録するためのディスク状の記録媒体からなる第２層と、
該第１層に記録され、割り込み位置を有するデータブロックと、
該第２層に記録された少なくとも一つの補助データブロックとからなるものであり、該方法は、
（ａ）該第１層におけるデータブロックを割り込み位置まで読み出し、
（ｂ）（ｉ）第２層にある補助データブロックを割り込み位置に挿入する、または（ii）挿入なしで続行するのいずれかを選択し、
（ｃ）（ｉ）が選択されれば、該割り込み位置に第２層の補助データブロックを挿入し、その後第１層におけるデータブロックを割り込み位置から続行して読み出し、
（ｄ）（ii）が選択されれば、割り込みなしにデータブロックを続行して読み出すことを特徴とする方法である。
【００１５】
【作用】
本発明は上記した構成によって、第１記録層と第２記録層にわたる情報の検索時に、記録層内でのシーク距離が、記録領域全半径範囲よりも必ず小さくなるので、検索時間が短くなり、したがって、シームレス再生のための必要メモリを小さくすることができる。
【００１６】
また、本発明は上記した構成によって、第１記録層と第２記録層にわたる情報の検索時に、記録層内でのシーク距離が、記録領域全半径範囲よりも小さく、一定値以下になるので、検索時間が短く、一定値以下になり、したがって、シームレス再生のための必要メモリを小さくかつ一定にできる。
【００１７】
また、本発明は上記した構成によって、第１の情報から参照される情報を呼び出すときのシーク距離が小さくなり、検索時間が短くなるので、参照時の待ち時間を短くできる。
【００１８】
また、本発明は上記した構成によって、両記録層ともほぼ同じ半径位置まで信号トラックを有するので、どこでフォーカスジャンプを行ってもジャンプ先でトラッキングを必ずかけることができ、システムエラーは発生しない。
【００１９】
【発明の実施の形態】
以下本発明の一実施の形態の光ディスクについて、図面を参照しながら説明する。
【００２０】
図１(Ａ)は、本発明の実施の形態における２層光ディスクの構成を示す。図１(Ａ)において、１は樹脂基材、２は第１記録層、３は樹脂接着層、４は第２記録層、５は樹脂基材である。第１、第２記録層には、情報ピット１６がスパイラル状あるいは同心円状に記録されている。情報ピット１６は凹凸のピットのような形状によるピットの場合や、アモルファスピットのような記録膜の化学的変化によるピットの場合などがある。第１、第２記録層２、４は、薄い金属膜で構成されている。たとえば、第１記録層２は、８０ nm のアルミ箔で構成され、第２記録層４は１３ nm の金箔で構成されている。第１、第２記録層２、４は他の金属、たとえば、Ge・Te・Sb の混合物で構成することも可能である。他の実施の形態についても同様である。
【００２１】
図１(Ｂ)は、本発明の第１の実施の形態における２層光ディスクでの情報配置を示すものである。図１(Ｂ)において、第１記録層には、連続情報を分割して得られるところの第１番目の情報ブロック７が、位置６（半径ｒ６）から外周に向かって位置８（半径ｒ８）まで記録され、次に第３番目の情報ブロック９が位置１０（半径ｒ１０）まで記録される。第２記録層には、連続情報を分割して得られるところの第２番目の情報ブロック１２が、位置１１（半径ｒ１１）から外周に向かって位置１３（半径ｒ１３）まで記録され、次に第４番目の情報ブロック１４が位置１５（半径ｒ１５）まで記録される。
【００２２】
ここで、各情報ブロックの容量は、第１記録層全面に収容できる容量よりも小さい。
【００２３】
以上のように構成された２層光ディスクについて、動作を説明する。
【００２４】
異なったサイズを有するブロック７、１２、９、１４は、この順番で順次記録再生が行われる。なお、第１記録層２には奇数番目（１番目、３番目）に記録再生されるブロックが含まれる一方、第２記録層４には偶数番目（２番目、４番目）に記録再生されるブロックが含まれる。このような順番で記録再生が行われるため、位置６、８、１１、１３、８、１０、１３、１５のアドレスが順番に示されたテーブルが光ディスクの制御データエリアに予め記録されている。これにより、記録再生ヘッドが位置６、８、１１、１３、８、１０、１３、１５を順番になぞることにより、上述したブロックの順番で記録再生を行うことが可能となる。
【００２５】
記録されている情報を連続して再生するとき、第１番目の情報ブロック７を再生後、８から１１に検索する必要がある。検索時間Ｔ11は、８から８’へのフォーカスジャンプ時間Ｔjと、８から１１への距離ｄ１１＝ｒ８−ｒ１１のシーク時間Ｔs(ｄ11)で、Ｔ11＝Ｔj＋Ｔs(ｄ11)と表される。本実施の形態で位置８は記録領域開始位置と終了位置以外の記録領域内の位置なので、ｄ１１＜ｄ１０１であり、したがって、シーク時間は、Ｔs(ｄ11)＜Ｔs(ｄ101)となる。結局、検索時間はＴ11＜Ｔ101となり、検索時間が短縮される。よって、シームレス再生するためのメモリは少なくできる。
【００２６】
続いて同様に、第２番目の情報ブロック１２を再生後、１３から８に検索する必要がある。検索時間Ｔ12は、１３から１３’へのフォーカスジャンプ時間Ｔjと、１３’から８への距離ｄ１２＝ｒ８−ｒ１３のシーク時間Ｔs(ｄ12)で、Ｔ12＝Ｔj＋Ｔs(ｄ12)と表される。位置１３も位置８も記録領域開始位置と終了位置以外の記録領域内の位置なので、シーク時間は、Ｔs(ｄ12)＜Ｔs(ｄ101)となる。結局、検索時間はＴ12＜Ｔ101となり、検索時間が短縮される。よって、シームレス再生するためのメモリは少なく済む。
【００２７】
続いて同様に、第３番目の情報ブロック９を再生後、１０から１３に検索する必要がある。検索時間Ｔ13は、１０から１３’への距離ｄ１３＝ｒ１０−ｒ１３のシーク時間Ｔs(ｄ13)と、１３’から１３へのフォーカスジャンプ時間Ｔjで、Ｔ13＝Ｔj＋Ｔs(ｄ13)と表される。位置１３は記録領域開始位置と終了位置以外の記録領域内の位置なので、ｄ１３＜ｄ１０１であり、したがって、シーク時間は、Ｔs(ｄ13)＜Ｔs(ｄ101)となる。結局、検索時間はＴ13＜Ｔ101となり、検索時間が短縮される。よって、シームレス再生するためのメモリは少なく済む。
【００２８】
なお、第１の実施の形態において、第１番目の情報ブロックから順に内周から外周に向かって記録するものとして説明したが、外周から内周に向かって記録するものとしても良いことは言うまでもない。また、位置６、１１は、内周の記録領域開始位置であっても良いことは言うまでもない。
【００２９】
以上のように本実施の形態によれば、 情報を記録する記録層を２層有し、一方の記録層側から光を照射して、両方の記録層の情報を検出可能にした２層構造の光ディスクであって、一方の記録層には、連続した情報を複数個に分割して得られる情報ブロックのうち、奇数番目の情報ブロックを内周から外周または外周から内周に向けて順に記録してあり、もう一方の記録層には、偶数番目の情報ブロックを内周から外周または外周から内周に向けて順に記録してあり、それぞれの情報ブロックの容量はひとつの記録層に収容可能な容量よりも小さくすることにより、情報分割部でのシーク距離が記録領域全半径範囲より小さくなるので、検索時間を短縮することができ、連続再生のためのメモリを小さくすることができる。
【００３０】
次に、本発明の第２の実施の形態について図面を参照しながら説明する。
【００３１】
図２(Ａ)は、本発明の実施の形態における２層光ディスクの構成を示す。図２(Ａ)において、１７は樹脂基材、１８は第１記録層、１９は樹脂接着層、２０は第２記録層、２１は樹脂基材である。第１、第２記録層には、情報ピット２２がスパイラル状あるいは同心円状に記録されている。情報ピット２２は凹凸のピットのような形状によるピットの場合や、アモルファスピットのような記録膜の化学的変化によるピットの場合などがある。
【００３２】
図２(Ｂ)は、本発明の実施の形態における２層光ディスクでの情報配置を示すものである。
【００３３】
図２(Ｂ)において、第１記録層には、連続情報を分割して得られるところの第１番目の情報ブロック２３が、内周の位置２２（半径ｒ２２）から外周に向かって位置２４（半径ｒ２４）まで記録され、次に第３番目の情報ブロック２５が位置２６（半径ｒ２６）まで記録され、次に第５番目の情報ブロック２７が位置２８（半径ｒ２８）まで記録され、次に第７番目の情報ブロック２９が位置３０（半径ｒ３０）まで記録される。
【００３４】
第２記録層には、連続情報を分割して得られるところの第２番目の情報ブロック３２が、内周の位置３１（半径ｒ３１）から外周に向かって位置３３（半径ｒ３３）まで記録され、次に第４番目の情報ブロック３４が位置３５（半径ｒ３５）まで記録され、次に第６番目の情報ブロック３６が位置３７（半径ｒ３７）まで記録される。
【００３５】
ここで、各情報ブロックの容量は、ひとつの記録層に収容できる容量よりも小さく、かつ、それぞれの容量は等しい。さらに、第２番目の情報ブロックの開始位置３１は、ｒ２２≦ｒ３１≦ｒ２４を満たすように配置される。
【００３６】
また、第１番目の情報ブロックの記録層上での径をｄ２３、第２番目の情報ブロックの記録層上での径をｄ３２、第３番目の情報ブロックの記録層上での径をｄ２５、第４番目の情報ブロックの記録層上での径をｄ３４、第５番目の情報ブロックの記録層上での径をｄ２７、第６番目の情報ブロックの記録層上での径をｄ３６、第７番目の情報ブロックの記録層上での径をｄ２９とすると、一周あたりの情報量が等しくなるように記録を行ったときは、ｄ２３＝ｄ３２＝ｄ２５＝ｄ３４＝ｄ２９＝ｄ３６  の関係が成り立ち、ビット長一定の記録を行ったとき、すなわち一周あたりの情報量が外周に行くほど多くなるときは、各ブロックの情報量が等しければ、ｄ２３≧ｄ３２≧ｄ２５≧ｄ３４≧ｄ２９≧ｄ３６の関係が成り立つ。
【００３７】
以上のように構成された２層光ディスクについて、その動作を説明する。
【００３８】
同じサイズを有するブロック２３、３２、２５、３４、２７、３６、２９は、この順番で順次記録再生が行われる。なお、第１記録層１８には奇数番目（１番目、３番目、５番目、７番目）に記録再生されるブロックが含まれる一方、第２記録層２０には偶数番目（２番目、４番目、６番目）に記録再生されるブロックが含まれる。このような順番で記録再生が行われるため、記録再生回路には１ブロックサイズをカウントするカウンターを設けている。このカウンターによりブロックごとに記録再生位置が移行される。カウンターの代わりに第１の実施の形態において説明したようなテーブルを光ディスクに予め記録しておいてもよい。
【００３９】
情報を連続して再生するときは、第１番目の情報ブロック２３を再生後、２４から３１に検索する必要がある。検索時間Ｔ21は、２４から２４’へのフォーカスジャンプ時間Ｔjと、２４’から３１への距離ｄ２１＝ｒ２４−ｒ３１にわたるシーク時間Ｔs(ｄ21)で、Ｔ21＝Ｔj＋Ｔs(ｄ21)と表される。
【００４０】
本実施の形態では、情報ブロックの容量が全面容量より小さいので、必ず、ｄ２１＜ｄ１０１である。よって、２４’から３１へのシーク時間Ｔs(ｄ21)は、小さくなる。さらに、ｒ２２≦ｒ３１≦ｒ２４であるので、０≦ｄ２１≦ｒ３３−ｒ３１＝ｄ３２≦ｄ２３であり、距離ｄ２３のシーク時間をＴs(ｄ23)とすれば、Ｔｓ(ｄ21)≦Ｔｓ(ｄ23)である。ｄ２３は第１の情報ブロックの容量で決まるが、本実施の形態では情報ブロックの容量を等しく設定しているので、一定値となり、よってＴｓ(ｄ23)も一定値である。すなわちＴ21＝Ｔj＋Ｔs(ｄ21)≦Ｔｊ＋Ｔs(ｄ23)となり、用意するメモリは、時間Ｔｊ＋Ｔs(ｄ23)に相当する一定量メモリを用意すれば良く、ドライブ設計が簡単になる。
【００４１】
なお、第２の実施の形態において、位置２２は、内周の記録領域開始位置であっても良いことは言うまでもない。
【００４２】
以上のように本実施の形態によれば、 情報を記録する記録層を２層有し、一方の記録層側から光を照射して、両方の記録層の情報を検出可能にした２層構造の光ディスクであって、一方の記録層には、連続した情報を複数個に分割して得られる情報ブロックのうち、奇数番目の情報ブロックを内周から外周に向けて順に記録してあり、もう一方の記録層には、偶数番目の情報ブロックを内周から外周に向けて順に記録してあり、それぞれの情報ブロックの容量はひとつの記録層に収容可能な容量よりも小さいようにするとともに、各情報ブロックの容量を等しく、第２番目の情報ブロックは、第１番目の情報ブロックが存在する半径位置から開始することにより、情報分割部での検索時間を短縮することができ、かつ連続再生のためのメモリを一定値以下に小さくすることができる。
【００４３】
次に、本発明の第３の実施の形態について図面を参照しながら説明する。
【００４４】
図３(Ａ)は、本発明の第３の実施の形態における２層光ディスクの構成を示す。
【００４５】
図３(Ａ)において、３８は樹脂基材、３９は第１記録層、４０は樹脂接着層、４１は第２記録層、４２は樹脂基材である。第１、第２記録層には、情報ピット４３がスパイラル状あるいは同心円状に記録されている。情報ピット４３は凹凸のピットのような形状によるピットの場合や、アモルファスピットのような記録膜の化学的変化によるピットの場合などがある。
【００４６】
図３(Ｂ)は、本発明の実施の形態における２層光ディスクの情報配置を示すものである。図３(Ｂ)において、第１記録層には、第１の情報４５が、内周の位置４４（半径ｒ４４）から外周に向かって位置４６（半径ｒ４６）まで記録される。
【００４７】
第２記録層には、第１の情報から呼び出される第２の情報４８が位置４７（半径ｒ４７）から位置４９（半径ｒ４９）まで、ｒ４７≦ｒ５６≦ｒ４９の関係を満たして配置される。ここで位置５６（半径ｒ５６）は、第１の情報内で第２の情報の呼出が発生する位置である。
【００４８】
また、第２記録層には、第１の情報から呼び出される第３の情報５１が位置５０（半径ｒ５０）から位置５２（半径ｒ５２）まで、ｒ５０≦ｒ５７≦ｒ５２の関係を満たして配置される。ここで位置５７（半径ｒ５７）は、第１の情報内で第３の情報５１の呼出が発生する位置である。
【００４９】
また、第２記録層には、第１の情報から呼び出される第４の情報５４が位置５３（半径ｒ５３）から位置５５（半径ｒ５５）まで、ｒ５３≦ｒ５８≦ｒ５５の関係を満たして配置される。ここで位置５８（半径ｒ５８）は、第１の情報内で第４の情報５４の呼出が発生する位置である。
【００５０】
以上のように構成された２層光ディスクについて、動作を説明する。
【００５１】
ブロック４５はその始点４４から終点４６に向かって再生されるが、割り込み位置５６、５７、５８のそれぞれにおいて一時的に中断される。割り込み位置５６では、（ｉ）補助データブロック４８の挿入、または（ii）一切の挿入なしで続行、のいずれかが選択される。同様に割り込み位置５７では、（ｉ）補助データブロック５１の挿入、または（ii）一切の挿入なしで続行、のいずれかが選択される。さらに、割り込み位置５８では、（ｉ）補助データブロック５４の挿入、または（ii）一切の挿入なしで続行、のいずれかが選択される。例えば、ブロック４５にはゲームのソフトウエアが記録されており、補助ブロック４８、５１、５４はそのゲームをどのように進行させるかの説明が記録されており、割り込みによりその説明を選択的に見ることが可能となっている。
【００５２】
この情報を再生するときを考えると、第１の情報を再生中、位置５６で第２の情報４８を呼び出す必要が生じるので、５６から４７へ検索する必要がある。検索時間Ｔ31は、５６から５６’へのフォーカスジャンプ時間Ｔjと、５６’から４７への距離ｄ３１＝ｒ５６−ｒ４７にわたるシーク時間Ｔs(ｄ31)で、Ｔ31＝Ｔj＋Ｔs(ｄ31)と表される。ここで、ｒ４７≦ｒ５６≦ｒ４９の関係があるので、０≦ｄ３１≦ｒ４９−ｒ４７となる。すなわち、シーク距離は必ず第２の情報量に相当する距離（ｒ４９−ｒ４７）よりも小さくなるので、検索時間が小さくなり、待ち時間が短くなる。
【００５３】
第３の情報５１を呼び出すときの、５７から５０への検索、および、第４の情報５４を呼び出すときの５８から５３への検索についても同様である。
【００５４】
以上のように、本実施の形態によれば、情報を記録する記録層を２層有し、一方の記録層側から光を照射して、両方の記録層の情報を検出可能にした２層構造の光ディスクであって、一方の記録層には、第１の情報を記録してあり、もう一方の記録層には、第１の情報から呼び出されうる複数の情報を記録してあり、それぞれの呼び出されうる情報は、第１の情報の中で呼び出されることが発生する半径位置を含む形で配置してあることを特徴とすることにより、第１の情報から第２記録層の情報を呼び出す際の検索時間を短縮することができ、待ち時間を短縮できる。
【００５５】
なお、第３の実施の形態で、情報ブロックは内周から外周に向かって記録するものとしたが、外周から内周に向かって記録する情報ブロックがあっても良いことは言うまでもない。
【００５６】
次に、本発明の第４の実施の形態について図面を参照しながら説明する。
【００５７】
図４(Ａ)は、本発明の第４の実施の形態における２層光ディスクの構成を示す。図４(Ａ)において、５９は樹脂基材、６０は第１記録層、６１は樹脂接着層、６２は第２記録層、６３は樹脂基材である。第１、第２記録層には、情報ピット６４がスパイラル状あるいは同心円状に記録されている。情報ピット６４は凹凸のピットのような形状によるピットの場合や、アモルファスピットのような記録膜の化学的変化によるピットの場合などがある。
【００５８】
図４(Ｂ)は、本発明の実施の形態における２層光ディスクでの情報配置を示すものである。図４(Ｂ)において、図１(Ｂ)と同じものには同番号を付してある。さらに、図４(Ｂ)においては、第１記録層の記録領域開始点６５（半径ｒ６５）から第１番目の情報ブロック７の開始点６（半径ｒ６）までの領域と、第３番目の情報ブロック９の終了点１０（半径ｒ１０）から第１記録層の記録領域終了点６８（半径ｒ６８）までの領域と、第２記録層の記録領域開始点６９（半径ｒ６９）から第２番目の情報ブロック１２の開始点１１（半径ｒ１１）までの領域と、第４番目の情報ブロック１４の終了点１５（半径ｒ１５）から第２記録層の記録領域終了点７２（半径ｒ７２）までの領域は、それぞれダミー情報６６、６７、７０、７１が記録されている。
【００５９】
以上のように構成された２層光ディスクについて、動作を説明する。
【００６０】
第４の実施の形態における動作は、第１の実施の形態における動作と同様である。
【００６１】
ダミー情報を記録することで、第１記録層、第２記録層とも全面に情報が記録されることになるので、フォーカスジャンプをどこで行っても、ジャンプ先には情報が記録されており、トラッキングをかけることができ、システムエラーは発生しない。
【００６２】
以上のように本実施の形態によれば、 情報を記録する記録層を２層有し、一方の記録層側から光を照射して、両方の記録層の情報を検出可能にした２層構造の光ディスクであって、記録層の記録領域内で情報が記録されていない領域は、ダミー情報を記録することにより、どこでフォーカスジャンプを行ってもトラッキングがはずれることはなく、システムエラーは発生しない。
【００６３】
なお、第４の実施の形態において、ダミー情報を記録するものとして説明したが、ピット列による信号トラックが形成される情報であれば、どんな情報を記録しても良いことは言うまでもない。
【００６４】
また、第４の実施の形態において、各情報ブロックをすべて内周から外周に向かって記録するものとして説明したが、すべて外周から内周に向かって記録するものとしても良いことは言うまでもない。
【００６５】
次に、本発明の第５の実施の形態について図面を参照しながら説明する。
【００６６】
図５(Ａ)は、本発明の第５の実施の形態における２層光ディスクの構成を示す。図５(Ａ)において、７３は樹脂基材、７４は第１記録層、７５は樹脂接着層、７６は第２記録層、７７は樹脂基材である。第１、第２記録層には、情報ピット７８がスパイラル状あるいは同心円状に記録されている。情報ピット７８は凹凸のピットのような形状によるピットの場合や、アモルファスピットのような記録膜の化学的変化によるピットの場合などがある。
【００６７】
図５(Ｂ)は、本発明の実施の形態における２層光ディスクでの情報配置を示すものである。図５(Ｂ)において、図１(Ｂ)と同じものには同番号を付してある。さらに、図５(Ｂ)においては、位置１５（半径ｒ１５）から、第２記録層における半径ｒ１０の位置８０までダミー情報７９が記録される。
【００６８】
以上のように構成された２層光ディスクについて、動作を説明する。
【００６９】
第５の実施の形態における動作は、第１の実施の形態における動作と同様である。
【００７０】
ダミー情報７９を記録することにより、第１記録層において情報の記録されている半径位置は、第２記録層においても情報が記録されていることになり、情報再生中ならば、フォーカスジャンプをどこで行っても、ジャンプ先には情報が記録されているので、ジャンプ先でトラッキングがはずれることはない。さらに、記録する情報の量が少なくて済むので、ディスク作製時間が短縮できる。
【００７１】
以上のように本実施の形態によれば、 情報を記録する記録層を２層有し、一方の記録層側から光を照射して、両方の記録層の情報を検出可能にした２層構造の光ディスクであって、一方の記録層では情報が記録されておらず、かつもう一方の記録層では情報が記録されている半径位置について、情報が記録されていない方の記録層においてダミー情報を記録することにより、どこでフォーカスジャンプを行ってもトラッキングがはずれることはなく、情報の量も少なくて済むので、ディスク作製時間も短縮できる。
【００７２】
なお、第５の実施の形態において、ダミー情報を記録するものとして説明したが、ピット列による信号トラックが形成される情報であれば、どんな情報を記録しても良いことは言うまでもない。
【００７３】
また、第５の実施の形態において、各情報ブロックをすべて内周から外周に向かって記録するものとして説明したが、すべて外周から内周に向かって記録するものとしても良いことは言うまでもない。
【００７４】
次に、本発明の第６の実施の形態について図面を参照しながら説明する。
【００７５】
図６(Ａ)は、本発明の第６の実施の形態における２層光ディスクの構成を示す。図６(Ａ)において、８１は樹脂基材、８２は第１記録層、８３は樹脂接着層、８４は第２記録層、８５は樹脂基材である。第１、第２記録層には、情報ピット８６がスパイラル状あるいは同心円状に記録されている。情報ピット８６は凹凸のピットのような形状によるピットの場合や、アモルファスピットのような記録膜の化学的変化によるピットの場合などがある。
【００７６】
図６(Ｂ)は、本発明の実施の形態における２層光ディスクでの情報配置を示すものである。図６(Ｂ)において、図２(Ｂ)と同じものには同番号を付してある。さらに、図６(Ｂ)においては、第１記録層の記録領域開始点８７（半径ｒ８７）から第１番目の情報ブロック２３の開始点２２までと、第７番目の情報ブロック２９の終了点３０（半径ｒ３０）から第１記録層の記録領域終了点９０（半径ｒ９０）までと、第２記録層の記録領域開始点９１（半径ｒ９１）から第２番目の情報ブロック３２の開始点３１（半径ｒ３１）までと、第６番目の情報ブロック３６の終了点３７（半径ｒ３７）から第２記録層の記録領域終了点９４（半径ｒ９４）までとの領域には、それぞれダミー情報８８、８９、９２、９３が記録されている。
【００７７】
以上のように構成された２層光ディスクについて、動作を説明する。
【００７８】
第６の実施の形態における動作は、第２の実施の形態における動作と同様である。
【００７９】
ダミー情報を記録することで、第１記録層、第２記録層とも全面に情報が記録されることになるので、フォーカスジャンプをどこで行っても、ジャンプ先には情報が記録されており、トラッキングをかけることができ、システムエラーは発生しない。
【００８０】
以上のように本実施の形態によれば、 情報を記録する記録層を２層有し、一方の記録層側から光を照射して、両方の記録層の情報を検出可能にした２層構造の光ディスクであって、記録層の記録領域内で情報が記録されていない領域は、ダミー情報を記録することにより、フォーカスジャンプをどこで行ってもトラッキングがはずれることはなく、システムエラーは発生しない。
【００８１】
なお、第６の実施の形態において、ダミー情報を記録するものとして説明したが、ピット列による信号トラックが形成される情報であれば、どんな情報を記録しても良いことは言うまでもない。
【００８２】
また、第６の実施の形態において、各情報ブロックをすべて内周から外周に向かって記録するものとして説明したが、すべて外周から内周に向かって記録するものとしても良いことは言うまでもない。
【００８３】
次に、本発明の第７の実施の形態について図面を参照しながら説明する。
【００８４】
図７(Ａ)は、本発明の第７の実施の形態における２層光ディスクの構成を示す。図７(Ａ)において、９５は樹脂基材、９６は第１記録層、９７は樹脂接着層、９８は第２記録層、９９は樹脂基材である。第１、第２記録層には、情報ピット１００がスパイラル状あるいは同心円状に記録されている。情報ピット１００は凹凸のピットのような形状によるピットの場合や、アモルファスピットのような記録膜の化学的変化によるピットの場合などがある。
【００８５】
図７(Ｂ)は、本発明の実施の形態における２層光ディスクでの情報配置を示すものである。図７(Ｂ)において、図２(Ｂ)と同じものには同番号を付してある。さらに、図７(Ｂ)においては、第２記録層における半径ｒ２２の位置１０１から第２番目の情報ブロック３２の開始点３１（半径ｒ３１）までと、第６番目の情報ブロック３６の終了点３７（半径ｒ３７）から第２記録層の半径ｒ３０の位置１０４までとの領域には、それぞれダミー情報１０２、１０３が記録されている。
【００８６】
以上のように構成された２層光ディスクについて、動作を説明する。
【００８７】
第７の実施の形態における動作は、第２の実施の形態における動作と同様である。
【００８８】
ダミー情報１０２、１０３を記録することにより、第１記録層において情報の記録されている半径位置は、第２記録層においても情報が記録されていることになり、情報再生中ならば、フォーカスジャンプをどこで行っても、ジャンプ先には情報が記録されているので、ジャンプ先でトラッキングがはずれることはない。さらに、記録するダミー情報の量が少なくて済むので、ディスク作製時間が短縮できる。
【００８９】
以上のように本実施の形態によれば、 情報を記録する記録層を２層有し、一方の記録層側から光を照射して、両方の記録層の情報を検出可能にした２層構造の光ディスクであって、一方の記録層では情報が記録されておらず、かつもう一方の記録層では情報が記録されている半径位置について、情報が記録されていない方の記録層においてダミー情報を記録することにより、フォーカスジャンプ時にジャンプ先でトラッキングがはずれることを防止でき、ダミー情報の量も少なくて済むので、ディスク作製時間も短縮できる。
【００９０】
なお、第７の実施の形態において、ダミー情報を記録するものとして説明したが、ピット列による信号トラックが形成される情報であれば、どんな情報を記録しても良いことは言うまでもない。
【００９１】
なお、第７の実施の形態において、各情報ブロックをすべて内周から外周に向かって記録するものとして説明したが、すべて外周から内周に向かって記録するものとしても良いことは言うまでもない。
【００９２】
次に、本発明の第８の実施の形態について図面を参照しながら説明する。
【００９３】
図８(Ａ)は、本発明の第８の実施の形態における２層光ディスクの構成を示す。図８(Ａ)において、１０５は樹脂基材、１０６は第１記録層、１０７は樹脂接着層、１０８は第２記録層、１０９は樹脂基材である。第１、第２記録層には、情報ピット１１０がスパイラル状あるいは同心円状に記録されている。情報ピット１１０は凹凸のピットのような形状によるピットの場合や、アモルファスピットのような記録膜の化学的変化によるピットの場合などがある。
【００９４】
図８(Ｂ)は、本発明の実施の形態における２層光ディスクでの情報配置を示すものである。図８(Ｂ)において、図３(Ｂ)と同じものには同番号を付してある。さらに、図８(Ｂ)においては、第１記録層の内周の記録領域開始位置１１１（半径ｒ１１１）から第１の情報４５の開始点４４（半径ｒ４４）までと、第１の情報４５の終了点４６（半径ｒ４６）から記録領域終了位置１１４（半径ｒ１１４）までと、第２記録層の内周の記録領域開始位置１１５（半径ｒ１１５）から第２の情報４８の開始点４７（半径ｒ４７）までと、第２の情報４８の終了点４９（半径ｒ４９）から第３の情報５１の開始点５０（半径ｒ５０）までと、第３の情報５１の終了点５２（半径ｒ５２）から第４の情報５４の開始点５３（半径ｒ５３）までと、第４の情報５４の終了点５５（半径ｒ５５）から記録領域終了点１２０（半径ｒ１２０）までとの領域には、それぞれダミー情報１１２、１１３、１１６、１１７、１１８、１１９が記録されている。
【００９５】
以上のように構成された２層光ディスクについて、動作を説明する。
第８の実施の形態における動作は、第３の実施の形態における動作と同様である。
ダミー情報を記録することで、第１記録層、第２記録層とも全面に情報が記録されることになるので、フォーカスジャンプをどこで行っても、ジャンプ先には情報が記録されており、トラッキングがはずれることはない。
【００９６】
以上のように本実施の形態によれば、 情報を記録する記録層を２層有し、一方の記録層側から光を照射して、両方の記録層の情報を検出可能にした２層構造の光ディスクであって、記録層の記録領域内で情報が記録されていない領域は、ダミー情報を記録することにより、フォーカスジャンプ時にトラッキングがはずれることを防止できる。
【００９７】
なお、第８の実施の形態において、ダミー情報を記録するものとして説明したが、ピット列による信号トラックが形成される情報であれば、どんな情報を記録しても良いことは言うまでもない。
【００９８】
なお、第８の実施の形態において、情報ブロックを内周から外周に向かって記録するものとして説明したが、外周から内周に向かって記録する情報ブロックがあっても良いことは言うまでもない。
【００９９】
次に、本発明の第９の実施の形態について図面を参照しながら説明する。
【０１００】
図９(Ａ)は、本発明の第９の実施の形態における２層光ディスクの構成を示す。図９(Ａ)において、１２１は樹脂基材、１２２は第１記録層、１２３は樹脂接着層、１２４は第２記録層、１２５は樹脂基材である。第１、第２記録層には、情報ピット１２６がスパイラル状あるいは同心円状に記録されている。情報ピット１２６は凹凸のピットのような形状によるピットの場合や、アモルファスピットのような記録膜の化学的変化によるピットの場合などがある。
【０１０１】
図９(Ｂ)は、本発明の実施の形態における２層光ディスクでの情報配置を示すものである。図９(Ｂ)において、図３(Ｂ)と同じものには同番号を付してある。さらに、図９(Ｂ)においては、第２記録層における半径ｒ４４の位置１２７から第２の情報４８の開始点４７（半径ｒ４７）までと、第２の情報４８の終了点４９（半径ｒ４９）から第３の情報５１の開始点５０（半径ｒ５０）までと、第３の情報５１の終了点５２（半径ｒ５２）から第４の情報５４の開始点５３（半径ｒ５３）までと、第４の情報５４の終了点５５（半径ｒ５５）から第２記録層における半径ｒ４６の位置１３２までとの領域には、それぞれダミー情報１２８、１２９、１３０、１３１が記録されている。
【０１０２】
以上のように構成された２層光ディスクについて、動作を説明する。
【０１０３】
第９の実施の形態における動作は、第３の実施の形態における動作と同様である。
【０１０４】
ダミー情報１２８、１２９、１３０、１３１を記録することにより、第１記録層において情報の記録されている半径位置は、第２記録層においても情報が記録されていることになり、情報再生中ならば、フォーカスジャンプをどこで行っても、ジャンプ先には情報が記録されているので、ジャンプ先でトラッキングがはずれることはない。さらに、記録するダミー情報の量が少なくて済むので、ディスク作製時間が短縮できる。
【０１０５】
以上のように本実施の形態によれば、 情報を記録する記録層を２層有し、一方の記録層側から光を照射して、両方の記録層の情報を検出可能にした２層構造の光ディスクであって、一方の記録層では情報が記録されておらず、かつもう一方の記録層では情報が記録されている半径位置について、情報が記録されていない方の記録層においてダミー情報を記録することにより、フォーカスジャンプ時にジャンプ先でトラッキングがはずれることを防止でき、ダミー情報の量も少なくて済むので、ディスク作製時間も短縮できる。
【０１０６】
なお、第９の実施の形態において、ダミー情報を記録するものとして説明したが、ピット列による信号トラックが形成される情報であれば、どんな情報を記録しても良いことは言うまでもない。
【０１０７】
また、第９の実施の形態において、情報ブロックを内周から外周に向かって記録するものとして説明したが、外周から内周に向かって記録する情報ブロックがあっても良いことは言うまでもない。
【０１０８】
次に、本発明の第１０の実施の形態について図面を参照しながら説明する。
【０１０９】
図１０(Ａ)は、本発明の実施の形態における２層光ディスクの構成を示す。図１０(Ａ)において、１０１７は樹脂基材、１０１８は第１記録層、１０１９は樹脂接着層、１０２０は第２記録層、１０２１は樹脂基材である。第１、第２記録層には、情報ピット１０２２がスパイラル状あるいは同心円状に記録されている。情報ピット１０２２は凹凸のピットのような形状によるピットの場合や、アモルファスピットのような記録膜の化学的変化によるピットの場合などがある。
【０１１０】
図１０(Ｂ)は、本発明の実施の形態における２層光ディスクでの情報配置を示すものである。
【０１１１】
図１０(Ｂ)において、第１記録層には、連続情報を分割して得られるところの第１番目の情報ブロック１０２３が、外周の位置１０２２（半径ｒ１０２２）から内周に向かって位置１０２４（半径ｒ１０２４）まで記録され、次に第３番目の情報ブロック１０２５が位置１０２６（半径ｒ１０２６）まで記録され、次に第５番目の情報ブロック１０２７が位置１０２８（半径ｒ１０２８）まで記録され、次に第７番目の情報ブロック１０２９が位置１０３０（半径ｒ１０３０）まで記録される。
【０１１２】
第２記録層には、連続情報を分割して得られるところの第２番目の情報ブロック１０３２が、外周の位置１０３１（半径ｒ１０３１）から内周に向かって位置１０３３（半径ｒ１０３３）まで記録され、次に第４番目の情報ブロック１０３４が位置１０３５（半径ｒ１０３５）まで記録され、次に第６番目の情報ブロック１０３６が位置１０３７（半径ｒ１０３７）まで記録される。
【０１１３】
ここで、各情報ブロックの容量は、ひとつの記録層に収容できる容量よりも小さく、かつ、それぞれの容量は等しい。さらに、第２番目の情報ブロックの開始位置１０３１は、ｒ１０２２≧ｒ１０３１≧ｒ１０２４を満たすように配置される。
【０１１４】
また、第１番目の情報ブロックの記録層上での径をｄ１０２３、第２番目の情報ブロックの記録層上での径をｄ１０３２、第３番目の情報ブロックの記録層上での径をｄ１０２５、第４番目の情報ブロックの記録層上での径をｄ１０３４、第５番目の情報ブロックの記録層上での径をｄ１０２７、第６番目の情報ブロックの記録層上での径をｄ１０３６、第７番目の情報ブロックの記録層上での径をｄ１０２９とすると、一周あたりの情報量の等しい記録を行ったときは、ｄ１０２３＝ｄ１０３２＝ｄ１０２５＝ｄ１０３４＝ｄ１０２９＝ｄ１０３６  の関係が成り立ち、ビット長一定の記録を行ったときは、ｄ１０２３≦ｄ１０３２≦ｄ１０２５≦ｄ１０３４≦ｄ１０２９≦ｄ１０３６の関係が成り立つ。
【０１１５】
以上のように構成された２層光ディスクについて、その動作を説明する。
【０１１６】
第１０の実施の形態における動作は、第１の実施の形態における動作と同様であるが、データは光ディスクの内側から外側に向かって読み出されるのではなく、外側から内側に向かって読み出される構成となっている。
情報を連続して再生するときは、第１番目の情報ブロック１０２３を再生後、１０２４から１０３１に検索する必要がある。検索時間Ｔ1021は、１０２４から１０２４’へのフォーカスジャンプ時間Ｔjと、１０２４’から１０３１への距離ｄ１０２１＝ｒ１０３１−ｒ１０２４にわたるシーク時間Ｔs(ｄ1021)で、Ｔ1021＝Ｔj＋Ｔs(ｄ1021)と表される。
【０１１７】
本実施の形態では、情報ブロックの容量が全面容量より小さいので、必ず、ｄ１０２１＜ｄ１０１である。よって、１０２４’から１０３１へのシーク時間Ｔs(ｄ1021)は、小さくなる。さらに、ｒ１０２２≧ｒ１０３１≧ｒ１０２４であるので、０≦ｄ１０２１≦ｒ１０３１−ｒ１０３３＝ｄ１０３２≦ｄ１０３６であり、距離ｄ１０３６のシーク時間をＴs(ｄ1036)とすれば、Ｔｓ(ｄ1021)≦Ｔｓ(ｄ1036)である。ｄ１０３６は第７の情報ブロックの容量で決まるが、本実施の形態では情報ブロックの容量を等しく設定しているので、一定値となり、よってＴｓ(ｄ1036)も一定値である。すなわちＴ1021＝Ｔj＋Ｔs(ｄ1021)≦Ｔｊ＋Ｔs(ｄ1036)となり、用意するメモリは、時間Ｔｊ＋Ｔs(ｄ1036)に相当する一定量メモリを用意すれば良く、ドライブ設計が簡単になる。
【０１１８】
以上のように本実施の形態によれば、 情報を記録する記録層を２層有し、一方の記録層側から光を照射して、両方の記録層の情報を検出可能にした２層構造の光ディスクであって、一方の記録層には、連続した情報を複数個に分割して得られる情報ブロックのうち、奇数番目の情報ブロックを外周から内周に向けて順に記録してあり、もう一方の記録層には、偶数番目の情報ブロックを外周から内周に向けて順に記録してあり、それぞれの情報ブロックの容量はひとつの記録層に収容可能な容量よりも小さいようにするとともに、各情報ブロックの容量を等しく、第２番目の情報ブロックは、第１番目の情報ブロックが存在する半径位置から開始することにより、情報分割部での検索時間を短縮することができ、かつ連続再生のためのメモリを一定値以下に小さくすることができる。
【０１１９】
上述した第１から第１０の実施の形態をまとめると以下に示す表のようになる。
【表】
0003756574.tif 000002
【０１２０】
【発明の効果】
以上のように本発明は、情報を記録する記録層を２層有し、一方の記録層側から光を照射して、両方の記録層の情報を検出可能にした２層構造の光ディスクであって、一方の記録層には、連続した情報を複数個に分割して得られる情報ブロックのうち、奇数番目の情報ブロックを内周から外周または外周から内周に向けて順に記録してあり、もう一方の記録層には、偶数番目の情報ブロックを内周から外周または外周から内周に向けて順に記録してあり、それぞれの情報ブロックの容量はひとつの記録層に収容可能な容量よりも小さくすることにより、第１記録層と第２記録層の間での情報分割部での検索時のシーク距離が従来よりも短くなり、検索時間を短縮することができ、シームレス再生時の必要メモリを小さくすることができる優れた２層光ディスクを実現できるものである。
【０１２１】
また、本発明は、情報を記録する記録層を２層有し、一方の記録層側から光を照射して、両方の記録層の情報を検出可能にした２層構造の光ディスクであって、一方の記録層には、連続した情報を複数個に分割して得られる情報ブロックのうち、奇数番目の情報ブロックを内周から外周または外周から内周に向けて順に記録してあり、もう一方の記録層には、偶数番目の情報ブロックを内周から外周または外周から内周に向けて順に記録してあり、それぞれの情報ブロックの容量はひとつの記録層に収容可能な容量よりも小さく、かつ、各情報ブロックの容量を等しくし、第２番目の情報ブロックは、第１番目の情報ブロックが存在する径位置から開始することを特徴とすることにより、第１記録層と第２記録層の間での情報分割部での検索時のシーク距離が従来よりも短く、かつ一定値以下となり、検索時間を短縮することができ、シームレス再生時も、一定値以下のメモリを用意すれば良いという効果も得られる優れた２層光ディスクを実現できるものである。
【０１２２】
また、本発明は、情報を記録する記録層を２層有し、一方の記録層側から光を照射して、両方の記録層の情報を検出可能にした２層構造の光ディスクであって、一方の記録層には、第１の情報を記録してあり、もう一方の記録層には、第１の情報から呼び出されうる複数の情報を記録してあり、それぞれの呼び出されうる情報は、第１の情報の中で呼び出されることが発生する半径位置を含む形で配置してあることを特徴とすることにより、第１の情報を再生中に、第２記録層の情報の呼出が発生したとき、シーク距離が従来よりも短くなり、検索時間が短縮でき、待ち時間が短くなる優れた２層光ディスクを実現できるものである。
【０１２３】
また、本発明は、情報を記録する記録層を２層有し、一方の記録層側から光を照射して、両方の記録層の情報を検出可能にした２層構造の光ディスクであって、両記録層とも、ほぼ同じ半径位置まで記録トラックを有することにより、どの位置でフォーカスジャンプしても、ジャンプ先で必ずトラッキングをかけることのできる優れた２層光ディスクを実現できるものである。
【図面の簡単な説明】
【図１】（Ａ）本発明の第１の実施の形態における２層光ディスクの構成図
（Ｂ）同情報配置図
【図２】（Ａ）本発明の第２の実施の形態における２層光ディスクの構成図
（Ｂ）同情報配置図
【図３】（Ａ）本発明の第３の実施の形態における２層光ディスクの構成図
（Ｂ）同情報配置図
【図４】（Ａ）本発明の第４の実施の形態における２層光ディスクの構成図
（Ｂ）同情報配置図
【図５】（Ａ）本発明の第５の実施の形態における２層光ディスクの構成図
（Ｂ）同情報配置図
【図６】（Ａ）本発明の第６の実施の形態における２層光ディスクの構成図
（Ｂ）同情報配置図
【図７】（Ａ）本発明の第７の実施の形態における２層光ディスクの構成図
（Ｂ）同情報配置図
【図８】（Ａ）本発明の第８の実施の形態における２層光ディスクの構成図
（Ｂ）同情報配置図
【図９】（Ａ）本発明の第９の実施の形態における２層光ディスクの構成図
（Ｂ）同情報配置図
【図１０】（Ａ）本発明の第１０の実施の形態における２層光ディスクの構成図
（Ｂ）同情報配置図
【図１１】従来の２層光ディスクの構成図
【符号の説明】
１    樹脂基材
２    第１記録層
３    樹脂接着層
４    第２記録層
５    樹脂基材
１６  情報ピット
７    第１番目の情報
９    第３番目の情報
１２  第２番目の情報
１４  第４番目の情報
６６、６７、７０、７１  ダミー情報
【図１】
0003756574.tif 000003
【図２】
0003756574.tif 000004
【図３】
0003756574.tif 000005
【図４】
0003756574.tif 000006
【図５】
0003756574.tif 000007
【図６】
0003756574.tif 000008
【図７】
0003756574.tif 000009
【図８】
0003756574.tif 000010
【図９】
0003756574.tif 000011
【図１０】
0003756574.tif 000012
【図１１】
0003756574.tif 000013